(57)【要約】【課題】従来のＰＯＳシステムは、本部からトップダウン式で流される企画プログラムがその支店にとって有益となる内容とは限らず、支店毎に企画プログラムの参加（実行）・不参加（不実行）が決められない点を解消する。【解決手段】企画エントリープログラム３Ａは、操作端末３を、ＰＯＳサーバ１から送信された企画データから企画の要素を抽出する企画抽出手段３ａ、ＰＯＳサーバ１の商品データベース及び顧客データベースからその操作端末の小売店の履歴を取得する小売店履歴取得手段３ｂ、小売店履歴取得手段３ｂによって得た小売店毎の商品データ及び顧客データを用いて、企画抽出手段３ａで抽出した販売促進企画データの各要素と組み合わせ可能な商品又は顧客があるか否かを検索する検索手段３ｃ、この検索手段３ｃで得られた検索結果に応じて販売促進企画への参加又は不参加をＰＯＳサーバへ送信する決定手段３ｄ、として機能させる。【選択図】図２
2017091391.tif 000002
【特許請求の範囲】
【請求項１】
顧客データベース、商品データベース、販売促進の企画データを蓄積した企画データベース、を備えたＰＯＳサーバと、このＰＯＳサーバに接続された小売店毎の操作端末と、この操作端末に接続された小売店内の複数のＰＯＳレジスタと、を有したＰＯＳシステムにおいて、前記ＰＯＳサーバから前記小売店毎の操作端末へ送られた企画データベースに基づいた販売促進企画への参加又は不参加を、小売店毎に決定することのできる企画エントリープログラムであって、
前記操作端末を、前記ＰＯＳサーバから送信された企画データから企画の要素を抽出する企画抽出手段、前記ＰＯＳサーバの商品データベース及び顧客データベースからその操作端末の小売店の履歴を取得する小売店履歴取得手段、前記小売店履歴取得手段によって得た小売店毎の商品データ及び顧客データを用いて、前記企画抽出手段で抽出した前記販売促進企画データの各要素と組み合わせ可能な商品又は顧客があるか否かを検索する検索手段、この検索手段で得られた検索結果に応じて前記販売促進企画への参加又は不参加を前記ＰＯＳサーバへ送信する決定手段、として機能させることを特徴とする企画エントリープログラム。
【発明の詳細な説明】
【技術分野】
【０００１】
本発明は、組織の支店全体を統合管理する本部から提案された企画の有益性を考慮して各小売店毎に参加・不参加を選ぶことができる企画エントリープログラムに関する。
【背景技術】
【０００２】
精算装置（以下、レジスタ）としてＰＯＳ（Ｐｏｉｎｔ  Ｏｆ  Ｓａｌｅｓ）システムのいわゆるＰＯＳレジスタが普及している。このＰＯＳレジスタにより収集した顧客や商品のデータはＰＯＳシステムにおいて分析や販売促進企画の立案に用いられている。
【０００３】
販売促進企画とは、例えば、組織の支店全体を統合管理する本部において支店毎に集計された様々なデータを分析し、販売促進企画（プログラム）を立案し、この企画プログラムをネットワーク接続された各支店のＰＯＳシステムに組み込み、ＰＯＳレジスタで精算する際に該企画に合致する精算に関しては特典が付与され、こうした特典が付与されることを告知するなどして特定の商品や顧客の販売促進を図るというものである。
【０００４】
本部から見れば、上記のような販売促進企画は、協賛メーカーや推奨する商品のＰＲだったり、売上向上や集客のメリットがある。客から見れば、上記のような販売促進企画は、キャンペーン、セール、といった具合にある条件に合致する商品や顧客であれば正規価格より安く購入できるというメリットがある。
【０００５】
販売促進企画、すなわち、キャンペーンやセール、値引きする商品の選出、商品の値引きの可否及び割合を決定するようなシステムについて、例えば以下の特許文献１，２が提案されている。
【０００６】
特許文献１（特開２００３−１６３２８号）は、個々の店舗の販売戦略を尊重しつつ、同じ地域の複数の店舗全体としての販売促進活動等を行えるような割引の組み合わせ方法を提供することを目的として、第一の店舗から第一の割引の申し込みを受け付けるステップと、第二の店舗から第二の割引の申し込みを受け付けるステップと、前記第一の店舗における第一の割引と前記第二の店舗における第二の割引とを組として登録するステップと、前記第一または第二の店舗のいずれかで商品を購入した利用者に対し、前記組として登録された情報を参照し、該購入した店舗と組として登録されている他方の前記第一または第二の店舗のいずれかでの割引を許可するステップとを備えた構成が開示されている。
【０００７】
特許文献２（特開平１０−１４９４８７号）は、センター装置の判断によりオンラインにて顧客毎の割引計算（割引サービス）、ポイント計算（ポイントサービス）の方法、その他の条件による割引計算（割引計算）、ポイント計算（ポイントサービス）の優待条件を変更する等のきめ細かな指定を可能とするために、オンラインで運用するＰＯＳシステムにおいて、優待取引（割引取引）時、顧客毎に割引サービスを選択するかポイントサービスを選択するかの指定、累計ポイント点数等の顧客情報、商品情報等をセンター装置に蓄積し、ＰＯＳより問い合わせを行い、これに対するセンター装置の回答の指定により割引計算或いはポイント計算を任意に指定できる構成が開示されている。
【０００８】
しかしながら、従来のこの種のシステムでは、ＰＯＳシステムにおける情報集約側である本部（ＰＯＳサーバ）から、情報収集側である支店（ＰＯＳレジスタ）へとトップダウン式に送られた企画プログラムが支店において強制的に実行される構成となっていた。
【０００９】
したがって、支店ではその支店固有に抱える問題、例えばある商品についての在庫をあるタイミングで一掃したいとかといった問題を該支店毎に解決することができず、組織全体としては販売促進を図るための企画プログラムにより売上が向上することがあっても、前記のように支店毎の都合を考慮した販売促進が可能というわけではなかった。
【先行技術文献】
【特許文献】
【００１０】
【特許文献１】特開２００３−１６３２８号公報
【特許文献２】特開平１０−１４９４８７号
【発明の概要】
【発明が解決しようとする課題】
【００１１】
解決しようとする問題は、従来のＰＯＳシステムは、本部からトップダウン式で流される企画プログラムがその支店にとって有益となる内容とは限らず、支店毎に企画プログラムの参加（実行）・不参加（不実行）が決められない点である。
【課題を解決するための手段】
【００１２】
上記課題を解決するため、本発明は、顧客データベース、商品データベース、販売促進の企画データを蓄積した企画データベース、を備えたＰＯＳサーバと、このＰＯＳサーバに接続された小売店毎の操作端末と、この操作端末に接続された小売店内の複数のＰＯＳレジスタと、を有したＰＯＳシステムにおいて、前記ＰＯＳサーバから前記小売店毎の操作端末へ送られた企画データベースに基づいた販売促進企画への参加又は不参加を、小売店毎に決定することのできる企画エントリープログラムであって、前記操作端末を、前記ＰＯＳサーバから送信された企画データから企画の要素を抽出する企画抽出手段、前記ＰＯＳサーバの商品データベース及び顧客データベースからその操作端末の小売店の履歴を取得する小売店履歴取得手段、前記小売店履歴取得手段によって得た小売店毎の商品データ及び顧客データを用いて、前記企画抽出手段で抽出した前記販売促進企画データの各要素と組み合わせ可能な商品又は顧客があるか否かを検索する検索手段、この検索手段で得られた検索結果に応じて前記販売促進企画への参加又は不参加を前記ＰＯＳサーバへ送信する決定手段、として機能させることを最も主要な特徴とする。
【発明の効果】
【００１３】
本発明は、上記構成とすることで、小売店毎に該小売店毎の都合を加味したうえでＰＯＳサーバから送付された販売促進の企画に対する参加又は不参加を決めることができる。例えば、小売店は、その小売店において例えば在庫商品との抱き合わせ（組み合わせ買い）実績のある又は可能性の高い販売促進企画に参加することで、表面的には企画の該当商品の販売促進を目的とする該企画に参加について、組み合わせて購入される在庫商品を減らすことが可能となる。また、例えば小売店は、自店において来店実績の低い年齢層又はさらに来店実績を伸ばそうとする年齢層に対して人気商品の販売促進企画に参加することで目的とする来店実績を達成しやすくなる。
【００１４】
すなわち、本発明は、ＰＯＳサーバ、すなわち小売店毎の事情が反映されずに本部から送付されてくる販売促進企画に対する参加又は不参加を、小売店の事情、つまり小売店毎に抱える問題を解決するために利用できるか否かを絡めたうえで決定することができるので、企画対象商品の販売促進のみの一義的なものとならず、企画に対して小売店毎に様々な策が立案可能となり、小売店にとって非常に有益なものとなる。
【図面の簡単な説明】
【００１５】
【図１】本発明の企画エントリープログラムが適用されるＰＯＳシステムを示す。
【図２】ＰＯＳシステムにおける操作端末における本発明の企画エントリープログラムの構成を示すブロック図である。
【図３】本発明の企画エントリープログラムによる操作端末の動作を示すフローチャートである。
【図４】（ａ）（ｂ）は本発明の企画エントリープログラムによる操作端末の画面表示例を示す図である。
【図５】（ａ）（ｂ）（ｃ）は本発明の企画エントリープログラムによる操作端末の画面表示例を示す図である。
【図６】本発明の企画エントリープログラムによる操作端末の画面表示例を示す図である。
【図７】本発明の企画エントリープログラムによる操作端末の画面表示例を示す図である。
【発明を実施するための形態】
【００１６】
本発明の企画エントリープログラムは、本部（ＰＯＳサーバ）からトップダウン式で流される販売促進企画のプログラムについて支店毎に参加（実行）・不参加（不実行）が決めることができない点を、小売店毎の操作端末において複数の販売促進企画データと小売店毎の商品及び顧客データをＰＯＳサーバから取得して、該販売促進企画データから組み合わせ可能な小売店における商品又は顧客データがあるかを検索して、検索結果に応じて参加又は不参加を決めるようにすることで解決した。
【実施例】
【００１７】
以下、図１〜図７を参照して本発明の具体的実施形態について説明する。図１は本発明の企画エントリープログラムが採用されたＰＯＳシステムの概略構成図である。１は、本願では「本部」とするＰＯＳサーバであり、このＰＯＳサーバ１に通信網、例えばインターネットを介して各小売店のＰＯＳレジスタ２が接続されている。ここで、本発明では、ＰＯＳサーバ１とＰＯＳレジスタ２との間に小売店毎に操作端末３が設けられている。
【００１８】
ＰＯＳサーバ１、操作端末３は、ハードウェア構成としては、例えば通信手段、ハードディスク、メモリ、ＣＰＵ、ディスプレイ、入力用のマウス及びキーボードを有しており、この点に関しては通常のサーバ、通常のいわゆるパーソナルコンピュータの構成と相違無いが、ＰＯＳサーバ１は、本例では少なくとも顧客データベース１Ａ、商品データベース１Ｂ、企画データベース１Ｃを有し、操作端末３は、後述する企画エントリープログラム３Ａを有していると共にＰＯＳレジスタ２を制御できる点が通常のものとは異なる。また、ＰＯＳレジスタ２も、本例では、操作端末３を解してＰＯＳサーバ１と接続している点を除いては通常の構成と同じである。
【００１９】
顧客データベース１ＡはＰＯＳレジスタ２より収集した顧客の情報を蓄積したものであり、また、商品データベース１ＢはＰＯＳレジスタ２より収集した商品の情報を蓄積したものであり、両者とも本発明のために特別にデータ構築したものではなく、既存のデータベースを用いる。
【００２０】
なお、本願において、顧客とは登録された客（いわゆる会員）を意味し、顧客データベース１Ａには、登録された客のデータが蓄積されている。一方、本願において、客という場合は登録されていない一般の客を意味する。
【００２１】
企画データベース１Ｃは、商品の製造メーカーや本部の販売促進用の企画が、その企画の開催期間（スケジュールカレンダー）と共に蓄積されたものである。企画データベース１Ｃを構成する企画データとは、例えば「○月○日〜○月○日はＡ商品が２割引」、「○月○日〜○月○日は６０代の顧客は１割引」、といったように、開催期間と、対象（商品や顧客）と、具体的内容や条件で構成される情報を意味する。
【００２２】
操作端末３には企画エントリープログラム３Ａがインストールされている。この企画エントリープログラム３Ａは、図２に示すように構成されている。すなわち、企画エントリープログラム３Ａは、操作端末３を、該操作端末３のハードウェア構成と協働して、ＰＯＳサーバ１とＰＯＳレジスタ３との間で、データを次のように処理する（動作させる）構成とされている。
【００２３】
企画エントリープログラム３Ａは、操作端末３を、企画抽出手段３ａ、小売店履歴取得手段３ｂ、検索手段３ｃ、決定手段３ｄ、表示手段３ｅ、及び告知生成手段３ｆとして機能させる。企画抽出手段３ａは、ＰＯＳサーバ１の企画データベース１Ｃから送信されたつまり本部から一方的に送信された企画データから該企画データを構成する上記各情報を抽出する。
【００２４】
小売店履歴取得手段３ｂは、ＰＯＳサーバ１の顧客データベース１Ａ及び商品データベース１Ｂからその小売店の履歴を取得すると共に取得後にその小売店の（売上や実績）履歴においてある一定の条件を満たしていない又は順位付けした際のワースト要素を抽出する。
【００２５】
検索手段３ｃは、小売店履歴取得手段３ｂによって得た小売店毎の顧客データ及び商品データを用いて、企画抽出手段３ａで抽出した企画データの各要素と組み合わせ可能な商品又は顧客があるか否かを検索する。
【００２６】
また、検索手段３ｃは、企画データを対象として該企画データの各要素に合致するキーワードが存在するか否かを検索する簡易検索手法と、企画データと小売店履歴データを対象としてキーワードの論理式の条件に合致する該企画データが存在するか否かを検索する売上データ検索手法との切り替えが可能となっている。
【００２７】
決定手段３ｄは、各要素に関連検索手段３ｃで得られた検索結果に応じて販売促進企画の参加又は不参加の信号をＰＯＳサーバ１へ送信する。また、この決定手段３ｄは、参加又は不参加の信号をＰＯＳサーバ１へ送信する一方で表示手段３ｅに参加又は不参加を決定した企画データとそうでない企画データとの表示を切り替える旨の信号を表示手段３ｅに向けて出力する。
【００２８】
さらに、決定手段３ｄは、参加又は不参加の信号をＰＯＳサーバ１へ送信する一方で告知生成手段３ｆに参加を決定した企画データに関するダイレクトメールやチラシの紙面データやダイレクトメールを送るべき顧客のデータ等をＰＯＳサーバ１から取得する旨の信号を出力する。
【００２９】
表示手段３ｅは、操作端末３において表示入出力インターフェースを生成する。すなわち表示手段３ｅは、ＰＯＳサーバ１から企画抽出手段３ａにより取得した企画データを所定のカレンダーに表示させたり、小売店履歴取得手段３ｂで抽出したワースト要素を選択可能にプルダウンメニュー表示させたり、上記したように決定手段３ｄによりＰＯＳサーバ１へ送信した参加又は不参加の企画データについて表示を切り替えたりする。
【００３０】
告知生成手段３ｆは、参加する企画データに関するダイレクトメール（電子メールによる告知も含む）やチラシの紙面データや参加した企画データに条件が該当する顧客の住所や氏名についての顧客データをＰＯＳサーバ１から取得して、所定レイアウトに成形してダイレクトメールやチラシのデータを生成し、プリンタへ送る又は電子メールを発送するといった処理を行う。
【００３１】
上記構成の企画エントリープログラム３Ａは、各手段によって小売店毎に有した操作端末３を以下のように動作させることで、ＰＯＳサーバ１から送られてくる販売促進のための企画データの参加又は不参加を小売店の都合で決定可能となること、及びその小売店で抱える在庫や集客の問題を当該企画の参加によって改善可能性があるか否かを把握できることが、特徴である。
【００３２】
以下、企画エントリープログラム３Ａによる操作端末３の動作について図３のフローチャートに基づいて説明する。企画エントリープログラム３Ａは、ＰＯＳサーバ１から企画データを受信すると（ステップ１、以下Ｓ１と記す）、企画抽出手段３ａが、企画の要素、例えば企画期間、企画対象商品、内容詳細（企画適用条件）、告知内容、を抽出する。
【００３３】
この後、表示手段３ｅは、図４（ａ）に示すようにカレンダーレイアウトに企画データをスケジュール表示をすると共に、カレンダー表示された個々の企画データの表示を詳細内容や参加不参加が可能なボタン化する（Ｓ２）。
【００３４】
なお、図４（ａ）では、年間の月単位のカレンダー表示（横軸）に各企画を表示（縦軸）した例を示すが、カレンダー表示レイアウトは図４（ａ）に限らず、週や日にさらに細かく表示してものであってもよい。
【００３５】
次に、企画エントリープログラム３Ａは、小売店履歴取得手段３ｂにより、ＰＯＳサーバ１の顧客データベース１Ａ及び商品データベース１Ｂからその操作端末３の属する小売店の履歴を取得する（Ｓ３）。
【００３６】
ここで、企画エントリープログラム３Ａは、ＰＯＳサーバ１における顧客データベース１Ａや商品データベース１Ｂを取得することも可能であるが、その小売店以外の顧客データや、その小売店で扱いの無い商品データが含まれることとなると通信時間や処理時間が長くなるので、その小売店に関するある一定期間の履歴を取得することとしている。
【００３７】
企画エントリープログラム３Ａは、小売店履歴データを取得すると、これを操作端末３のバックグラウンドでバッファし、小売店履歴取得手段３ｂがこの小売店履歴データから実績として悪いフラグが付された商品データ及び顧客データの絞り込み処理を行って、後述の簡易検索及び売上データ検索を行った際に、検索キーワードが容易に入力できるようにしている（Ｓ４）。
【００３８】
Ｓ４の状態で企画エントリープログラム３Ａは処理待ち（待機）状態となり（Ｓ５）、Ｓ５で画面上の終了ボタン（不図示）がクリックされると（Ｓ６でＹｅｓ）、処理は終了し、終了ボタンをクリックせず一定時間経過すると（Ｓ６でＮｏ）、企画データや小売店履歴データを更新（これらデータを再取得）するためにＳ１に戻り、Ｓ５で待機する。
【００３９】
（企画表示から決定）
Ｓ５の待機時に、カレンダー表示の個々の企画データの表示をクリックすると（Ｓ５でＮｏ→Ｓ７でＹｅｓ）、図４（ｂ）に示すように企画内容の詳細を表示するためのメニューＭ１が表示される。図４（ｂ）に示すメニューＭ１には、商品アイテムボタンＢ１、企画条件内容ボタンＢ２、ＤＭ（ダイレクトメール）内容表示ボタンＢ３、が表示され、各ボタンＢ１〜Ｂ３をクリックすると（Ｓ８）、図５（ａ）〜（ｃ）の各表示が行われる（Ｓ９）。
【００４０】
商品アイテムボタンＢ１をクリックすると、図５（ａ）に示すように、その企画で対象とされている商品と数量が表示される。企画条件ボタンＢ２をクリックすると、図５（ｂ）に示すように企画の詳細条件が表示される。ＤＭ内容表示ボタンＢ３をクリックすると、図５（ｃ）に示すように、ＤＭ書面内容が表示される。
【００４１】
企画内容の詳細を見て当該企画に参加する場合（Ｓ１０でＮｏ）、処理は後述のＳ１９に進む。一方、企画内容を閲覧するだけで、この段階では企画への参加・不参加を決めない場合（Ｓ１０でＹｅｓ）は、処理はＳ５へ戻る。
【００４２】
（簡易キーワード検索により決定）
企画エントリープログラム３Ａは、Ｓ５の待機時に、図４（ａ）に示された簡易キーワード検索のキーワード入力欄Ｋ１をクリックすると（Ｓ５でＮｏ→Ｓ７でＮｏ→Ｓ１１でＹｅｓ）、表示手段３ｅが該キーワード入力欄Ｋ１を入力可能にすると共にプルダウンメニューを表示する。
【００４３】
そして、企画エントリープログラム３Ａは、検索手段３ｃにおいてキーワード入力欄Ｋ１をクリックし、キーワードを入力又はキーワードを選択すると、検索手段３ｃにより該当キーワードを含む企画の有無について企画データから検索を行う（Ｓ１２）。表示手段３ｅは、該当する企画の有無に応じて検索結果がカレンダー表示の企画表示を点滅させたり、表示色を変えるなどの処理を行う（Ｓ１３）。
【００４４】
ここで、本例において、キーワード入力欄Ｋ１では、キーワード入力欄Ｋ１にキーボードなどを用いてフリーキーワードを入力することもできるが、上記Ｓ４においてバックグラウンドでバッファしておいた、小売店履歴取得手段３ｂが小売店履歴データから実績として悪いフラグが付された商品データと顧客データとが別々にプルダウンメニューとして表示され、Ｓ１１でキーワード入力欄Ｋ１をクリックした際にプルダウンメニューから選択することもできるようになっている。
【００４５】
このように、小売店履歴取得手段３ｂにより取得したその小売店の商品データ及び顧客データからＳ４のワースト絞り込みを行ったうえで、プルダウンメニューから選択可能とすることで検索が容易となると共に、その小売店にとって実績の悪いフラグが付されたキーワードを対象としている検索が可能となる。つまり、これらで該当する企画に参加することで、実績の悪い商品又は顧客に対する直接的な底上げが見込める。
【００４６】
Ｓ１３で、該当する企画があり（Ｓ１３でＹｅｓ）、該当した企画に参加又は不参加を決定するならば（Ｓ１４でＮｏ）、処理は後述のＳ１９へ進む。一方、Ｓ１３において検索の結果として該当する企画が無かったり（Ｓ１３でＮｏ）、Ｓ１３において検索の結果として該当する企画が有るが（Ｓ１３でＹｅｓ）、この段階では参加又は不参加を決定しない場合（Ｓ１４でＹｅｓ）は、処理はＳ５へ戻る。
【００４７】
（売上データ検索により決定）
企画エントリープログラム３Ａは、Ｓ５の待機時に、図４（ａ）に示された売上データ検索ボタンＢ４がクリックされると（Ｓ５でＮｏ→Ｓ１１でＮｏ→Ｓ１５）、表示手段３ｅにより簡易キーワード検索よりさらに詳細に商品データ及び顧客データの条件に応じた企画を検索する図７に示す売上データ検索条件入力画面が表示をする。
【００４８】
売上データ検索の詳細は後述するとして、企画エントリープログラム３Ａは、売上データ検索の結果、Ｓ１６で入力又は選択した条件に該当する企画データが存在した場合（Ｓ１７でＹｅｓ）、ここで企画の確認だけでなく、参加・不参加を決定する場合（Ｓ１８でＮｏ）、処理はＳ１９へ進み、一方、Ｓ１６の条件に該当する企画データが存在しない場合（Ｓ１７でＮｏ）、また、この段階では企画の確認だけで、待機状態へ戻る場合（Ｓ１８でＹｅｓ）は、処理はＳ５へ戻る。
【００４９】
Ｓ１６において、売上データ検索では、図７に示すように、条件となる要素（キーワード）のＯＲ、ＡＮＤ、ＮＯＴの論理式を汲むことが可能とされ、条件となる要素としては、期間の設定、商品の細かい（例えばＪＡＮ、メーカー、ブランドといった）情報、また、スクロールした下部に位置するため図示していないが顧客の細かい（例えば年齢層、男女別、来店頻度といった）情報、が指定できるようになっている。
【００５０】
上記Ｓ１１の簡易検索では、直接的に、その小売店における実績の悪い例えば商品や顧客のデータの直接的な底上げを見込む企画を探すことが目的であるが、Ｓ１５，Ｓ１６における売上データ検索は前記簡易検索とは異なり、実績の悪い例えば商品と組み合わせ（セット）買いされているような商品について企画があるか否かを調べることを目的としている。
【００５１】
簡易データ検索と売上データ検索との相違の具体例を次に説明する。具体例として次の前提条件があるとする。１：シャンプーＡはその小売店において、多数購入実績がある。２：シャンプーＡと組み合わせて購入される商品としてリンスＢの確率が高い。３：リンスＢの売上実績がその小売店でワーストに絞り込まれている。４：ＰＯＳサーバ１の企画データＤにはシャンプーＡの値引き企画が存在するとする（全企画データにはリンスＢの商品に関する企画が存在しない）。
【００５２】
上記前提において、簡易キーワード検索の場合は、Ｓ３の小売店履歴取得後にＳ４でリンスＢがその小売店履歴のワーストに絞り込まれているが、企画データには「リンスＢ」というキーワードを含んだ企画が存在しないのでリンスＢに関して販売促進を図る企画が発見できない。つまりリンスＢについて販売促進を図る参加すべき企画が発見できないこととなる。
【００５３】
一方、上記前提において、売上データ検索の場合は、リンスＢを入力して、組み合わせ（ＯＲ検索）又はかつ条件（ＡＮＤ検索）を行うと、ＯＲ検索ではリンスＢを軸として組み合わせて購入された実績のある多数の商品のうちの一つとしてシャンプーＡも抽出され、ＡＮＤ検索ではリンスＢが高い確率で組み合わせ商品の対象とされているシャンプーＡが抽出され、よって、シャンプーＡを対象とした企画を発見できる。
【００５４】
つまり、売上データ検索では、リンスＢの販売促進のための企画は存在しないが、小売店としてリンスＢの販売促進を図ろうとすれば、シャンプーＡを対象とした企画に参加すれば、シャンプーＡの組み合わせでリンスＢの売上実績を向上させることが見込める。
【００５５】
このように、本発明は、簡易キーワード検索により最も効率よく小売店において売上実績が悪い商品や顧客を直接的に対象とした企画を見つけることができると共に売上データ検索により現状の企画で対象とする商品や顧客に関連して潜在的に例えば組み合わせの購入によって売上実績がワーストにある商品の在庫を減らすことが見込める企画を見つけることが可能となり、小売店毎の企画の参加・不参加の判断の戦略的かつ有益な手助けが可能となる。
【００５６】
そして、企画エントリープログラム３Ａは、決定手段３ｄにより、Ｓ９の企画詳細表示から選択した企画データ、Ｓ１３で該当した企画データ、Ｓ１７で該当した企画データ、のいずれかについて、参加を決定する場合（Ｓ１９でＹｅｓ）、ＰＯＳサーバ１にその旨の信号を送信し（Ｓ２０）、不参加を決定する場合（Ｓ１９でＮｏ）、ＰＯＳサーバ１にその旨の信号を送信する（Ｓ２１）。
【００５７】
Ｓ２０又はＳ２１の後、企画エントリープログラム３Ａは、ＰＯＳサーバ１から参加又は不参加を決定した後に、この間に新たな企画データが登録されている場合もあるので、参加・不参加の決定後の最新の企画データに更新し（Ｓ２２）、この後に、他の企画について参加・不参加を決める場合（Ｓ２３でＹｅｓ）、処理はＳ５に戻り、これ以上他の企画についても検索することなく（Ｓ２３でＮｏ）、終了する場合（Ｓ２４でＹｅｓ）は処理は終了し、Ｓ２４で終了しない場合（Ｓ２４でＮｏ）、処理はＳ１に戻った後、Ｓ５の待機状態となる。
【００５８】
上記Ｓ２０において、そのカレンダー表示においてある時期に参加する企画がいくつか決定された後、不図示の告知生成ボタンをクリックすると、本発明の企画エントリープログラム３Ａは、告知生成手段３ｆにより、ＰＯＳサーバ１より、定型パーツ化された参加する企画についての例えばダイレクトメールやチラシの紙面データ、及び該当する顧客についての住所や氏名の顧客データを受信し、これを操作端末３に接続したプリンタ等で印刷したり、電子メールを生成して送信したりする。こうすれば、その小売店が参加する企画についてのチラシやダイレクトメール、及び電子メールを作成することができる。
【００５９】
このように、本発明の企画エントリープログラム３Ａは、従来の本部（ＰＯＳサーバ１）側で予め設定された企画に小売店側も自動的に追従して参加するものではなく、小売店（操作端末３）側で、その小売店にとってそれら企画がメリットがあるものについて判断したうえで参加することができる一方で無条件の参加を抑制できる。
【００６０】
なお、上記構成では、Ｓ１９において、参加（Ｓ２０）又は不参加（Ｓ２１）を選択可能としていたが、積極的に参加のクリックをしない限りは不参加の状態とするようにしてもよいし、この逆に、積極的に不参加のクリックをしない限りは参加の状態とするようにしてもよい。
【符号の説明】
【００６１】
１  ＰＯＳサーバ
１Ａ  顧客データベース
１Ｂ  商品データベース
１Ｃ  企画データベース
２  ＰＯＳレジスタ
３  操作端末
３Ａ  企画エントリープログラム
３ａ  企画抽出手段
３ｂ  小売店履歴取得手段
３ｃ  検索手段
３ｄ  決定手段
３ｅ  表示手段
３ｆ  告知生成手段
【図１】
2017091391.tif 000003
【図２】
2017091391.tif 000004
【図３】
2017091391.tif 000005
【図４】
2017091391.tif 000006
【図５】
2017091391.tif 000007
【図６】
2017091391.tif 000008
【図７】
2017091391.tif 000009